Podtech/llm-jp-corpus-v4-ja_patent huggingface dataset:
【手続補正書】
【提出日】平成28年12月22日(2016.12.22)
【手続補正１】
【補正対象書類名】特許請求の範囲
【補正対象項目名】全文
【補正方法】変更
【補正の内容】
【特許請求の範囲】
【請求項１】
遊技機を支持する遊技機支持枠であって、
前記遊技機の下部を支持するための下部フレーム体と、
前記下部フレーム体の上方に設けられ前記遊技機の上部を支持するための上部フレーム体と、から構成され、
前記下部フレーム体は、
設置面に立設される第１縦フレームと、
前記第１縦フレームの上部から略水平方向に延設され前記遊技機を第１位置にて支持する横フレームと、
前記横フレームから上方に延設され前記上部フレーム体が上下方向に位置調整可能に設けられる第２縦フレームと、
前記第１縦フレームまたは前記横フレームに回動可能に設けられる第１回動フレームと、
前記第２縦フレームに回動可能に設けられる第２回動フレームと、
前記第１回動フレームと前記第２回動フレームとを連結する連結手段と、
を備え、
前記連結手段により前記第１回動フレームと前記第２回動フレームとを前記横フレームの上方位置にて連結することで、前記第１回動フレーム、前記第２回動フレーム、前記第２縦フレームにより、前記遊技機を前記第１位置よりも上方の第２位置にて支持する支持部が形成され、
前記上部フレーム体には、前記遊技機に対応して設けられ所定の報知が可能な報知装置の取付部が設けられている
ことを特徴とする遊技機支持枠。
【請求項２】
遊技機を支持する遊技機支持枠であって、
前記遊技機の下部を支持するための下部フレーム体と、
前記下部フレーム体の上方に設けられ前記遊技機の上部を支持するための上部フレーム体と、から構成され、
前記下部フレーム体は、
設置面に立設される第１縦フレームと、
前記第１縦フレームの上部から略水平方向に延設される横フレームと、
前記横フレームから上方に延設され前記上部フレーム体が上下方向に位置調整可能に設けられる第２縦フレームと、
前記第２縦フレームに対し上下方向にスライド可能に設けられ前記遊技機を支持する移動支持部材と、
前記第１縦フレームまたは前記横フレームに、前記移動支持部材を第１位置にて保持する第１回動位置と該第１位置よりも高い第２位置にて保持する第２回動位置との間で回動可能に設けられた回動部材と、
を備え、
前記回動部材は、前記移動支持部材を前記第１回動位置にて保持する第１保持部と、前記第２回動位置にて保持する第２保持部と、を備え、
前記上部フレーム体には、前記遊技機に対応して設けられ所定の報知が可能な報知装置の取付部が設けられている
ことを特徴とする遊技機支持枠。
【手続補正２】
【補正対象書類名】明細書
【補正対象項目名】００１０
【補正方法】変更
【補正の内容】
【００１０】
前記課題を解決するために、本発明の請求項１に記載の遊技機支持枠は、
遊技機（例えば、パチンコ遊技機２やスロットマシン３）を支持する遊技機支持枠（支持枠６６Ｌ，６６Ｒ）であって、
前記遊技機の下部を支持するための下部フレーム体（下部フレーム体１７３）と、
前記下部フレーム体の上方に設けられ前記遊技機の上部を支持するための上部フレーム体（上部フレーム体１７４）と、から構成され、
前記下部フレーム体は、
設置面に立設される第１縦フレーム（第１縦フレーム７４）と、
前記第１縦フレームの上部から略水平方向に延設され前記遊技機を第１位置（図５の左側の第１支持面１１０の位置）にて支持する横フレーム（横フレーム７５）と、
前記横フレームから上方に延設され前記上部フレーム体が上下方向に位置調整可能に設けられる第２縦フレーム（第２縦フレーム７６）と、
前記第１縦フレームまたは前記横フレームに回動可能に設けられる第１回動フレーム（第１回動フレーム７７）と、
前記第２縦フレームに回動可能に設けられる第２回動フレーム（第２回動フレーム７８）と、
前記第１回動フレームと前記第２回動フレームとを連結する連結手段（連結ボルト７９ａ及び連結ナット７９ｂ、貫通孔９２，１００）と、
を備え、
前記連結手段により前記第１回動フレームと前記第２回動フレームとを前記横フレームの上方位置にて連結することで、前記第１回動フレーム、前記第２回動フレーム、前記第２縦フレームにより、前記遊技機を前記第１位置よりも上方の第２位置（図５の右側の第２支持面１２０の位置）にて支持する支持部（第２支持面１２０）が形成され（図２及び図４（Ｂ）参照）、
前記上部フレーム体には、前記遊技機に対応して設けられ所定の報知が可能な報知装置の取付部が設けられている
ことを特徴としている。
この特徴によれば、第１回動フレームと第２回動フレームとを横フレームの上方位置にて連結すれば、第１回動フレームと第２回動フレームと第２縦フレームとにより遊技機を第１位置よりも上方の第２位置にて支持可能となり、連結しなければ、横フレームにより遊技機を第１位置にて支持可能となるので、設置する遊技機の種類に応じて高さ位置を容易に変更することができる。
【手続補正３】
【補正対象書類名】明細書
【補正対象項目名】００１１
【補正方法】変更
【補正の内容】
【００１１】
本発明の請求項２に記載の遊技機支持枠は、
遊技機（例えば、パチンコ遊技機２やスロットマシン３）を支持する遊技機支持枠（支持枠１０６６）であって、
前記遊技機の下部を支持するための下部フレーム体（下部フレーム体１１７３）と、
前記下部フレーム体の上方に設けられ前記遊技機の上部を支持するための上部フレーム体（上部フレーム体１１７４）と、から構成され、
前記下部フレーム体は、
設置面（例えば、下部レール６２）に立設される第１縦フレーム（第１縦フレーム１０７４）と、
前記第１縦フレームの上部から略水平方向に延設される横フレーム（横フレーム１０７５）と、
前記横フレームから上方に延設され前記上部フレーム体が上下方向に位置調整可能に設けられる第２縦フレーム（第２縦フレーム１０７６）と、
前記第２縦フレームに対し上下方向にスライド可能に設けられ前記遊技機を支持する移動支持部材（移動支持部材１１００）と、
前記第１縦フレームまたは前記横フレームに、前記移動支持部材を第１位置にて保持する第１回動位置（図１０参照）と該第１位置よりも高い第２位置にて保持する第２回動位置（図９参照）との間で回動可能に設けられた回動部材（回動部材１２００）と、
を備え、
前記回動部材は、前記移動支持部材を前記第１回動位置にて保持する第１保持部（連結ボルト１２１０及び連結ナット、貫通孔１２０３）と、前記第２回動位置にて保持する第２保持部（連結ボルト１２１０及び連結ナット、貫通孔１２０４）と、を備え（図９及び図１０参照）、
前記上部フレーム体には、前記遊技機に対応して設けられ所定の報知が可能な報知装置の取付部が設けられている
ことを特徴としている。
この特徴によれば、移動支持部を第２保持部で保持すれば、遊技機を第１位置よりも上方の第２位置にて支持可能となり、第１保持部で保持すれば、遊技機を第１位置にて支持可能となるので、設置する遊技機の種類に応じて高さ位置を容易に変更することができる。
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
予め定められた第１異常又は第２異常が発生していることを示す異常情報を検出する検出手段と、
前記検出手段にて前記異常情報が検出された場合に、外部情報端子を介して遊技機の外部に出力可能であると共に、前記異常情報を報知可能な報知手段と、
を備え、
前記報知手段は、
前記第１異常が検出された場合には、前記第１異常を報知するものの、前記第１異常が発生していることについて前記外部情報端子を介して出力せず、
前記第２異常が検出された場合には、前記第２異常を報知すると共に、前記第２異常が発生していることについて前記外部情報端子を介して出力可能である
ことを特徴とする遊技機。
【手続補正２】
【補正対象書類名】明細書
【補正対象項目名】０００４
【補正方法】変更
【補正の内容】
【０００４】
このような遊技機には例えば液晶表示装置の前面側に移動するような可動役物を用いることがあり、可動役物等の遊技機の一部において故障してしまうと遊技の興趣を著しく低下させることになっていた。
【手続補正３】
【補正対象書類名】明細書
【補正対象項目名】０００５
【補正方法】変更
【補正の内容】
【０００５】
本発明は、上述した課題を解決するためになされたものであり、遊技の興趣の低下を抑制することができる遊技機を提供することを目的とする。
【手続補正４】
【補正対象書類名】明細書
【補正対象項目名】０００７
【補正方法】変更
【補正の内容】
【０００７】
本発明に係る遊技機（１）は、予め定められた第１異常又は第２異常が発生していることを示す異常情報を検出する検出手段（１１０１、１１５１）と、検出手段にて異常情報が検出された場合に、外部情報端子（１１２４）を介して遊技機の外部に出力可能であると共に、異常情報を報知可能な報知手段（１１０１、１１５１）と、を備え、報知手段は、第１異常が検出された場合には、第１異常を報知するものの、第１異常が発生していることについて外部情報端子を介して出力せず、第２異常が検出された場合には、第２異常を報知すると共に、第２異常が発生していることについて外部情報端子を介して出力可能であることを特徴とする。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
この発明によれば、遊技の興趣の低下を抑制することができる。
【手続補正７】
【補正対象書類名】明細書
【補正対象項目名】１０７０
【補正方法】変更
【補正の内容】
【１０７０】
１…遊技機（遊技機）
１１０１…ＣＰＵ（検出手段，報知手段）
１１２４…遊技情報出力端子板（外部情報端子）
１１５１…ＣＰＵ（検出手段，報知手段）
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
可変表示を行ない、遊技者にとって有利な有利状態に制御可能な遊技機であって、
前記有利状態に制御するか否かを判定する有利状態判定手段と、
前記有利状態判定手段の判定結果に基づいて、前記有利状態に制御する有利状態制御手段と、
可変表示が開始されてから表示結果が導出表示されるまでに一旦仮停止させた後に可変表示を再度実行する再可変表示を所定回実行する再可変表示実行手段と、
遊技者による第１動作に対応する第１動作演出、および、遊技者による第２動作に対応する第２動作演出を含む複数種類の動作演出を実行するか否かを決定する動作演出決定手段と、
前記動作演出決定手段の決定結果に基づいて、動作演出を実行する動作演出実行手段とを備え、
前記再可変表示実行手段による前記再可変表示の実行回数に応じて、前記第１動作演出または前記第２動作演出を異なる割合により実行可能であり、
前記再可変表示実行手段による前記再可変表示の実行回数に応じて、複数種類のリーチ演出のうちいずれのリーチ演出を実行するかの割合が異なり、
遊技状態に応じて、動作演出の実行割合が異なる、遊技機。
【手続補正２】
【補正対象書類名】明細書
【補正対象項目名】０００５
【補正方法】変更
【補正の内容】
【０００５】
（１）  可変表示を行ない、遊技者にとって有利な有利状態に制御可能な遊技機であって、
前記有利状態に制御するか否かを判定する有利状態判定手段と、
前記有利状態判定手段の判定結果に基づいて、前記有利状態に制御する有利状態制御手段と、
可変表示が開始されてから表示結果が導出表示されるまでに一旦仮停止させた後に可変表示を再度実行する再可変表示を所定回実行する再可変表示実行手段と、
遊技者による第１動作に対応する第１動作演出、および、遊技者による第２動作に対応する第２動作演出を含む複数種類の動作演出を実行するか否かを決定する動作演出決定手段と、
前記動作演出決定手段の決定結果に基づいて、動作演出を実行する動作演出実行手段とを備え、
前記再可変表示実行手段による前記再可変表示の実行回数に応じて、前記第１動作演出または前記第２動作演出を異なる割合により実行可能であり、
前記再可変表示実行手段による前記再可変表示の実行回数に応じて、複数種類のリーチ
演出のうちいずれのリーチ演出を実行するかの割合が異なり、
遊技状態に応じて、動作演出の実行割合が異なる。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
ヒトロイシンリッチリピート含有Ｇタンパク質共役型受容体（ＬＧＲ）タンパク質の細胞外ドメイン、または、ヒトＲ−スポンジン（ＲＳＰＯ）タンパク質のいずれかに特異的に結合する免疫グロブリン分子、あるいは、そのＬＧＲタンパク質結合断片、または、ＲＳＰＯタンパク質結合断片であって、
（ａ）ＲＳＰＯタンパク質のＬＧＲタンパク質への結合を阻害し、かつ／または
（ｂ）ＲＳＰＯによるＬＧＲシグナル伝達の活性化を阻害し、かつ／または
（ｃ）β−カテニンシグナル伝達を阻害し、かつ／または
（ｄ）充実性腫瘍の増殖を阻害する、
免疫グロブリン分子またはその断片。
【請求項２】
β−カテニンシグナル伝達を阻害するか、ヒトおけるがんを処置するか、または、ヒトにおける腫瘍の増殖を阻害するための組成物であって、該組成物は薬剤を含み、該薬剤は、
（ａ）ヒトＲＳＰＯタンパク質のＬＧＲタンパク質への結合を阻害し、かつ／または
（ｂ）ＲＳＰＯによるＬＧＲシグナル伝達の活性化を阻害する、
組成物。
【請求項３】
前記薬剤が、請求項１に記載の免疫グロブリン分子を含む、請求項２に記載の組成物。
【請求項４】
前記ヒトががん幹細胞を含む腫瘍を含むか、または、がん幹細胞を含む腫瘍が除去された、請求項２または３に記載の組成物。
【請求項５】
前記がんまたは腫瘍が、結腸直腸、乳房、肺、または、膵臓のがんまたは腫瘍である、請求項２〜４のいずれかに記載の組成物。
【請求項６】
前記がんまたは腫瘍が結腸直腸のがんまたは腫瘍である、請求項５に記載の組成物。
【請求項７】
前記がんまたは腫瘍がＬＧＲ５を過剰発現する、請求項５または６に記載の組成物。
【請求項８】
前記組成物が、第二の抗がん剤の有効量とともに投与されることを特徴とする、請求項２〜７のいずれかに記載の組成物。
【請求項９】
前記第二の抗がん剤がパクリタキセルである、請求項８に記載の組成物。
【請求項１０】
前記免疫グロブリン分子が、
（ａ）ＬＧＲ５、ＬＧＲ４、もしくはＬＧＲ６；または
（ｂ）ＲＳＰＯ１、ＲＳＰＯ２、ＲＳＰＯ３、もしくはＲＳＰＯ４
に特異的に結合する、請求項１に記載の免疫グロブリン分子、または、請求項３〜９のいずれかに記載の組成物。
【請求項１１】
前記免疫グロブリン分子がＲＳＰＯ３に特異的に結合する、請求項１０に記載の免疫グロブリン分子または組成物。
【請求項１２】
前記細胞外ドメインが、ヒトＬＧＲ５（配列番号１）のアミノ酸２２〜５６４を含む、請求項１０に記載の免疫グロブリン分子または組成物。
【請求項１３】
前記免疫グロブリン分子がモノクローナル抗体、キメラ抗体、ヒト化抗体、またはヒト抗体である、請求項１に記載の免疫グロブリン分子、または、請求項３〜１２のいずれかに記載の組成物。
【請求項１４】
前記免疫グロブリンが二重特異性抗体である、請求項１に記載の免疫グロブリン分子、または、請求項３〜１２のいずれかに記載の組成物。
【請求項１５】
前記免疫グロブリン分子が抗体断片である、請求項１に記載の免疫グロブリン分子、または、請求項３〜１２のいずれかに記載の組成物。
【請求項１６】
請求項１および１０〜１５のいずれか一項に記載の免疫グロブリン分子を産生する細胞株。
【請求項１７】
請求項１〜１６のいずれかに記載の免疫グロブリン分子または組成物と、薬学的に許容される担体とを含み、任意に、第二の抗がん剤を含む、薬学的組成物。
【請求項１８】
ヒトＬＧＲタンパク質の細胞外ドメインを含む可溶性受容体であって、
（ａ）充実性腫瘍の幹細胞を含む充実性腫瘍の増殖を阻害し；または
（ｂ）ＲＳＰＯによるＬＧＲシグナル伝達の活性化を阻害する、
可溶性受容体。
【請求項１９】
前記薬剤が、請求項１８に記載の可溶性受容体である、請求項２に記載の組成物。
【請求項２０】
腫瘍細胞におけるβ−カテニンシグナル伝達を阻害するインビトロの方法であって、該腫瘍細胞を、
（ａ）ヒトＲＳＰＯタンパク質のヒトＬＧＲへの結合を阻害し；かつ／または
（ｂ）ＲＳＰＯによるＬＧＲシグナル伝達の活性化を阻害する、
薬剤の有効量と接触させる工程を包含する、方法。
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
第１の画像と前記第１の画像より前に前記第１の画像と同じ被写体を撮影した第２の画像との相互相関解析を行う相互相関解析部と、
前記第１の画像の動きボケに対応する第１の動き量を推定する第１の動き推定部と、
前記相互相関解析の結果、及び、前記第１の動き量の推定結果に基づいて、前記第１の動き量とは異なる、前記第１の画像と前記第２の画像との間の第２の動き量を推定する第２の動き推定部と
を備える情報処理装置。
【請求項２】
前記第２の動き推定部は、前記相互相関解析の結果に基づいて動きベクトルを検出することにより、前記第２の動き量を推定するとともに、前記第１の動き量の推定結果に基づいて、前記動きベクトルを検出する領域を限定する
請求項１に記載の情報処理装置。
【請求項３】
前記第１の画像の第１の空間周波数分布、及び、前記第２の画像の第２の空間周波数分布を解析する空間周波数解析部を
さらに備え、
前記相互相関解析部は、前記第１の空間周波数分布及び前記第２の空間周波数分布に基づいて、前記第１の画像と前記第２の画像との相互相関解析を行う
請求項１又は２に記載の情報処理装置。
【請求項４】
前記第１の動き推定部は、
伝達関数計算部と、
推定部と
を備え、
前記伝達関数計算部は、前記第１の空間周波数分布、及び、前記被写体がほぼ静止した状態の画像の空間周波数分布である静止時空間周波数分布に基づいて、前記第１の画像の動きボケの特性を表す第１の伝達関数を計算し、
前記推定部は、前記第１の伝達関数に基づいて前記第１の動き量を推定する
請求項３に記載の情報処理装置。
【請求項５】
前記伝達関数計算部は、前記第１の空間周波数分布と前記静止時空間周波数分布との空間周波数毎の強度の比に基づいて、前記伝達関数を計算する
請求項４に記載の情報処理装置。
【請求項６】
前記第１の画像において前記被写体がほぼ静止していると判定した場合、次に使用する前記静止時空間周波数分布を前記第１の空間周波数分布に設定する状態判定部を
さらに備える請求項４又は５に記載の情報処理装置。
【請求項７】
画像の空間周波数分布から動きボケの成分を除去する動きボケ除去部を
さらに備え、
前記伝達関数計算部は、前記第２の空間周波数分布及び前記静止時空間周波数分布に基づいて、前記第２の画像の動きボケの特性を表す第２の伝達関数を計算し、
前記動きボケ除去部は、前記第１の伝達関数に基づいて、前記第１の空間周波数分布から前記第１の画像の動きボケの成分を除去し、前記第２の伝達関数に基づいて、前記第２の空間周波数分布から前記第２の画像の動きボケの成分を除去し、
前記相互相関解析部は、動きボケの成分が除去された前記第１の空間周波数分布及び前記第２の空間周波数分布に基づいて、前記第１の画像と前記第２の画像との相互相関解析を行う
請求項４乃至６のいずれかに記載の情報処理装置。
【請求項８】
前記被写体は、被験者の脈拍を計測する計測部位であり、
前記第２の動き量の推定結果に基づいて、前記被験者の脈拍を計測する脈拍計測部を
さらに備える請求項１乃至７のいずれかに記載の情報処理装置。
【請求項９】
前記第１の動き量は、前記被験者の体動による動き量であり、
前記第２の動き量は、前記被験者の脈拍による動き量である
請求項８に記載の情報処理装置。
【請求項１０】
第１の画像と前記第１の画像より前に前記第１の画像と同じ被写体を撮影した第２の画像との相互相関解析を行う相互相関解析ステップと、
前記第１の画像の動きボケに対応する第１の動き量を推定する第１の動き推定ステップと、
前記相互相関解析の結果、及び、前記第１の動き量の推定結果に基づいて、前記第１の動き量とは異なる、前記第１の画像と前記第２の画像との間の第２の動き量を推定する第２の動き推定ステップと
を含む情報処理方法。
【請求項１１】
第１の画像と前記第１の画像より前に前記第１の画像と同じ被写体を撮影した第２の画像との相互相関解析を行う相互相関解析ステップと、
前記第１の画像の動きボケに対応する第１の動き量を推定する第１の動き推定ステップと、
前記相互相関解析の結果、及び、前記第１の動き量の推定結果に基づいて、前記第１の動き量とは異なる、前記第１の画像と前記第２の画像との間の第２の動き量を推定する第２の動き推定ステップと
を含む処理をコンピュータに実行させるためのプログラム。
【手続補正書】
【提出日】平成29年10月12日(2017.10.12)
【手続補正１】
【補正対象書類名】明細書
【補正対象項目名】０２８６
【補正方法】削除
【補正の内容】
【手続補正２】
【補正対象書類名】特許請求の範囲
【補正対象項目名】全文
【補正方法】変更
【補正の内容】
【特許請求の範囲】
【請求項１】
所定の機器に固有のパラメータであって、複数の情報処理装置に共通のフォーマットの中間パラメータを、前記機器から受信した場合、前記中間パラメータから自身の情報処理装置に適した調整パラメータを生成する生成部と、
前記生成部により生成された前記調整パラメータに基づき信号を演算する信号演算部と
を備える情報処理装置。
【請求項２】
前記情報処理装置は、前記機器であるアクセサリ機器に接続されるホスト端末である
請求項１に記載の情報処理装置。
【請求項３】
前記中間パラメータは、前記情報処理装置の前記調整パラメータに基づき信号を演算する信号演算部の伝達関数に関するパラメータと、前記アクセサリ機器の物理的特性に関するパラメータとを含む
請求項１または２に記載の情報処理装置。
【請求項４】
前記情報処理装置は、前記機器に保持されている前記中間パラメータを受信するか、または前記中間パラメータにアクセスするのに必要な情報に基づいて前記中間パラメータを受信する
請求項１、２または３に記載の情報処理装置。
【請求項５】
前記情報処理装置は、さらに前記調整パラメータに基づき演算される環境の状態を表す環境信号を受信する
請求項１乃至４のいずれかに記載の情報処理装置。
【請求項６】
前記情報処理装置は、前記調整パラメータに基づき前記環境の状態による影響を軽減するための前記環境信号を受信する
請求項１乃至５のいずれかに記載の情報処理装置。
【請求項７】
前記アクセサリ機器は前記ホスト端末と多極プラグを介して多重化データ通信を行う
請求項１乃至６のいずれかに記載の情報処理装置。
【請求項８】
情報処理装置の情報処理方法であって、
所定の機器に固有のパラメータであって、複数の情報処理装置に共通のフォーマットの中間パラメータを、前記機器から受信した場合、前記中間パラメータから前記自身の情報処理装置に適した調整パラメータを生成し、
生成された前記調整パラメータに基づき信号を演算する
情報処理方法。
【請求項９】
自身の情報処理装置に固有のパラメータであって、複数の機器に共通のフォーマットの中間パラメータを前記機器に供給するパラメータ供給部と、
前記機器において、前記中間パラメータから生成された前記機器に適した調整パラメータに基づき演算された演算信号を、前記機器から受信する受信部と
を備える情報処理装置。
【請求項１０】
前記情報処理装置は、前記機器であるホスト端末に接続されるアクセサリ機器である
請求項９に記載の情報処理装置。
【請求項１１】
前記中間パラメータは、前記機器の前記調整パラメータに基づき信号を演算する信号演算部の伝達関数に関するパラメータと、前記アクセサリ機器の物理的特性に関するパラメータとを含む
請求項９または１０に記載の情報処理装置。
【請求項１２】
前記パラメータ供給部は、保持している前記中間パラメータを供給するか、または前記中間パラメータにアクセスするのに必要な情報を供給する
請求項９、１０または１１に記載の情報処理装置。
【請求項１３】
前記情報処理装置は、前記調整パラメータに基づき演算される環境の状態を表す環境信号を前記機器に供給する環境信号供給部をさらに備える
請求項９乃至１２のいずれかに記載の情報処理装置。
【請求項１４】
前記環境信号供給部は、前記調整パラメータに基づき前記環境の状態による影響を軽減するための前記環境信号を供給する
請求項９乃至１３のいずれかに記載の情報処理装置。
【請求項１５】
前記アクセサリ機器は前記ホスト端末と多極プラグを介して多重化データ通信を行う
請求項９乃至１４のいずれかに記載の情報処理装置。
【請求項１６】
情報処理装置の情報処理方法であって、
自身の前記情報処理装置に固有のパラメータであって、複数の機器に共通のフォーマットの中間パラメータを前記機器に供給し、
前記機器において、前記中間パラメータから生成された前記機器に適した調整パラメータに基づき演算された演算信号を、前記機器から受信する
情報処理方法。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
基準位置と該基準位置よりも下方の移動位置との間で移動する移動体と、該移動体を移動させる駆動源と、を備える遊技機であって、
前記移動体を前記移動位置から前記基準位置に移動させるときにおいては前記駆動源の動力を補うとともに、前記移動体を前記基準位置から前記移動位置に移動させるときにおいては前記駆動源の動力に抗して該移動体の移動速度を調整する調整手段と、
駆動側部材および該駆動側部材に遊びを設けて連結される移動側部材を有し、前記駆動源の動力を前記移動体に伝達する伝達機構と、
を備え、
前記調整手段は、前記基準位置と前記移動位置との間において、前記移動体に対し上向きの付勢力を付与するバネ部材であり、
前記バネ部材により前記移動体にかかる上向きの付勢力は、該移動体が前記基準位置から前記移動位置に移動するのに従い漸次大きくなるとともに、前記基準位置と前記移動位置との移動範囲内において、前記移動体の自重により前記バネ部材にかかる下向きの力よりも小さい
ことを特徴とする遊技機。
【手続補正２】
【補正対象書類名】明細書
【補正対象項目名】０００１
【補正方法】変更
【補正の内容】
【０００１】
本発明は、基準位置と該基準位置よりも下方の移動位置との間で移動する移動体と、該移動体を移動させる駆動源と、を備える遊技機に関する。
【手続補正３】
【補正対象書類名】明細書
【補正対象項目名】０００６
【補正方法】変更
【補正の内容】
【０００６】
前記課題を解決するために、本発明の請求項１に記載の遊技機は、
基準位置と該基準位置よりも下方の移動位置との間で移動する移動体と、該移動体を移動させる駆動源と、を備える遊技機であって、
前記移動体を前記移動位置から前記基準位置に移動させるときにおいては前記駆動源の動力を補うとともに、前記移動体を前記基準位置から前記移動位置に移動させるときにおいては前記駆動源の動力に抗して該移動体の移動速度を調整する調整手段と、
駆動側部材および該駆動側部材に遊びを設けて連結される移動側部材を有し、前記駆動源の動力を前記移動体に伝達する伝達機構と、
を備え、
前記調整手段は、前記基準位置と前記移動位置との間において、前記移動体に対し上向きの付勢力を付与するバネ部材であり、
前記バネ部材により前記移動体にかかる上向きの付勢力は、該移動体が前記基準位置から前記移動位置に移動するのに従い漸次大きくなるとともに、前記基準位置と前記移動位置との移動範囲内において、前記移動体の自重により前記バネ部材にかかる下向きの力よりも小さい
ことを特徴としている。
【手続補正書】
【提出日】平成28年12月13日(2016.12.13)
【手続補正１】
【補正対象書類名】特許請求の範囲
【補正対象項目名】全文
【補正方法】変更
【補正の内容】
【特許請求の範囲】
【請求項１】
被験者の透視画像を撮像するＣＴ撮像部と、
撮像される被験者に薬液を注入する薬液注入動作部と、
前記薬液注入動作部による薬液の注入条件および前記ＣＴ撮像部による撮像条件を設定するためのデータが入力され、入力された前記データに基づいて前記薬液注入動作部および前記ＣＴ動作部の動作を制御する操作部と、
前記薬液注入動作部についての情報を表す画面である前記注入条件の設定画面、および前記ＣＴ動作部についての情報を表す画面である前記撮像条件の設定画面を表示する表示部と、
を有し、
前記操作部は、入力された前記データに基づいて前記注入条件および前記撮像条件を決定する統括制御部を含み、
前記データの入力の際、並びに前記薬液注入動作部および前記ＣＴ撮像部の動作中の少なくとも一方において、前記薬液注入動作部および前記ＣＴ撮像部のどちらについての情報を表す画面を前記表示部に表示させるかが前記統括制御部に予め設定されているＸ線ＣＴシステム。
【請求項２】
前記操作部は、決定した前記注入条件に従って前記注入動作部の動作を制御する注入動作部制御部と、決定した前記撮像条件に従って前記ＣＴ動作部の動作を制御するＣＴ撮像部制御部と、をさらに含む、請求項１に記載のＸ線ＣＴシステム。
【請求項３】
前記操作部が前記表示部を有する、請求項１または２に記載のＸ線ＣＴシステム。
【請求項４】
前記統括制御部で決定された注入条件および撮像条件、および入力された前記データを格納する記憶部をさらに有し、
前記統括制御部は、前記注入条件および前記撮像条件のうち後から入力される条件の設定時に、両方の条件に共通する項目のデータを前記記憶部から読み出し、これらのデータを前記注入条件の設定および前記撮像条件の設定に用いる、請求項１から３のいずれか１項に記載のＸ線ＣＴシステム。
【請求項５】
請求項１から４のいずれか１項に記載のＸ線ＣＴシステムの薬液注入動作部として用いられる薬液注入装置であって、
前記Ｘ線ＣＴシステムの前記操作部との間でデータを送受信するためのインターフェイス部を有する薬液注入装置。
【請求項６】
前記操作部で設定された注入条件を表示する副表示部をさらに有する、請求項５に記載の薬液注入装置。
【請求項７】
前記操作部で設定された注入条件を変更するための副操作部をさらに有する、請求項６に記載の薬液注入装置。
【請求項８】
請求項１から４のいずれか１項に記載のＸ線ＣＴシステムのＣＴ撮像部として用いられるＣＴスキャナであって、
前記Ｘ線ＣＴシステムの前記操作部との間でデータを送受信するためのインターフェイス部を有するＣＴスキャナ。
【手続補正書】
【提出日】平成29年4月25日(2017.4.25)
【手続補正１】
【補正対象書類名】明細書
【補正対象項目名】００１５
【補正方法】変更
【補正の内容】
【００１５】
（８）また、本発明のＣＴ画像処理装置は、前記心拍同期用ＲＯＩが、投影データ上で、心室を含むとともに、心臓の横隔膜側端部から１／４以上１／３以下までの範囲を含むことを特徴としている。このように心拍同期用ＲＯＩに心室、および心臓の横隔膜側１／４以上１／３以下の範囲を含むことで心拍および呼吸拍の波形を強く検出できる。
【手続補正２】
【補正対象書類名】明細書
【補正対象項目名】００２０
【補正方法】変更
【補正の内容】
【００２０】
（１３）また、本発明の方法は、コンピュータを動作させることで、動物を被検体としてＸ線ＣＴ装置により各時間に撮影された投影データを処理する方法であって、一連の投影データにおける心拍同期用ＲＯＩ内の特徴量の波形から、心拍周波数の下限閾値を特定するステップと、前記心拍周波数の下限閾値で定義されるハイパスフィルタにより、心拍の波形を抽出するステップと、を含むことを特徴としている。これにより、呼吸拍によるノイズを除去して正確な心拍のみを容易に抽出することができる。
【手続補正３】
【補正対象書類名】明細書
【補正対象項目名】００５７
【補正方法】変更
【補正の内容】
【００５７】
このようにして得られた下限閾値で定義されるハイパスフィルタを用いて、特徴量の波形から心拍波形を抽出する。具体的には、図６のグラフにおいて２Ｈｚより小さい周波数成分を遮断し、２Ｈｚ以上の周波数成分のみを逆フーリエ変換する。図７は、抽出された心拍波形を示すグラフである。上記のようにハイパスフィルタを適用した結果、フレーム数０付近のピークを除き、概ね同じ周期で同程度の振幅を有する拍動のみが心拍波形として抽出される。
【手続補正４】
【補正対象書類名】明細書
【補正対象項目名】００５９
【補正方法】変更
【補正の内容】
【００５９】
図９は、特徴量の波形をフーリエ変換したグラフである。図９においては、０Ｈｚのピーク（直流成分）を除いて最も周波数の小さいピークの位置は０．２Ｈｚである。したがって、呼吸拍波形を抽出するための下限閾値を０．２Ｈｚとすることができる。
【手続補正５】
【補正対象書類名】明細書
【補正対象項目名】００６０
【補正方法】変更
【補正の内容】
【００６０】
上記のようにして得られた心拍波形を抽出するための下限閾値と呼吸拍波形を抽出するための下限閾値とで定義されるバンドパスフィルタを用いて、特徴量の波形から心拍波形を抽出する。具体的には、図９のグラフにおいて０．２Ｈｚより小さい周波数成分と２Ｈｚより大きい周波数成分を遮断し、０．２Ｈｚ〜２Ｈｚの帯域の周波数成分のみを逆フーリエ変換する。図１０は、抽出された呼吸拍の波形を示すグラフである。上記のようにバンドパスフィルタを適用した結果、フレーム数０付近のピークを除き、概ね同じ周期で同程度の振幅を有する拍動のみが呼吸拍波形として抽出される。
【手続補正６】
【補正対象書類名】特許請求の範囲
【補正対象項目名】請求項１３
【補正方法】変更
【補正の内容】
【請求項１３】
コンピュータを動作させることで、動物を被検体としてＸ線ＣＴ装置により各時間に撮影された投影データを処理する方法であって、
一連の投影データにおける心拍同期用ＲＯＩ内の特徴量の波形から、心拍周波数の下限閾値を特定するステップと、
前記心拍周波数の下限閾値で定義されるハイパスフィルタにより、心拍の波形を抽出するステップと、を含むことを特徴とする方法。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
撮像素子と、
前記撮像素子が内部に配置された外筐とを備え、
前記外筐には大径部と前記大径部より外径が小さい小径部とが設けられ、
前記大径部の外周面に被写体の撮影を行う撮影釦が配置された
撮像装置。
【請求項２】
前記大径部が前記小径部より前記被写体側に設けられた
請求項１に記載の撮像装置。
【請求項３】
前記小径部に電源のオンオフを行う電源釦が配置された
請求項１又は請求項２に記載の撮像装置。
【請求項４】
前記大径部と前記小径部の間に前記大径部から前記小径部に近付くに従って径が小さくなるように傾斜された傾斜部が設けられ、
前記電源釦が前記小径部における前記傾斜部側の端部に配置された
請求項３に記載の撮像装置。
【請求項５】
補助光を出射するフラッシュを有し前記外筐の内部に収容される収容位置と前記外筐の外部に突出される突出位置との間で移動されるフラッシュユニットが設けられ、
前記小径部に前記フラッシュユニットを前記収容位置から前記突出位置に移動させるポップアップ釦が配置された
請求項１乃至請求項４の何れかに記載の撮像装置。
【請求項６】
前記大径部と前記小径部の間に前記大径部から前記小径部に近付くに従って径が小さくなるように傾斜された傾斜部が設けられ、
前記ポップアップ釦が前記小径部における前記傾斜部側の端部に配置された
請求項５に記載の撮像装置。
【請求項７】
前記フラッシュが前記大径部に収容され、
前記大径部が前記小径部より前記被写体側に設けられた
請求項５又は請求項６に記載の撮像装置。
【請求項８】
前記外筐の内部にバッテリーが収納されるバッテリー収納部が設けられ、
前記外筐に前記バッテリー収納部を開閉するバッテリー蓋が支持され、
前記バッテリー収納部に操作釦が配置された
請求項１乃至請求項７の何れかに記載の撮像装置。
【請求項９】
前記操作釦として他の機器との間での通信状態を切り替える通信切替釦が設けられた
請求項８に記載の撮像装置。
【請求項１０】
前記大径部にマイクロフォンが配置された
請求項１乃至請求項９の何れかに記載の撮像装置。
【請求項１１】
前記外筐に前記大径部及び前記小径部を有する筒状筐体部と前記筒状筐体部に対して光
軸方向に直交する方向において外側に突出された転がり防止部とが設けられ、
前記転がり防止部が前記筒状筐体部の下面側に設けられ、
前記撮影釦が前記転がり防止部の上側に位置された
請求項１乃至請求項１０の何れかに記載の撮像装置。
【請求項１２】
前記転がり防止部が左右に離隔して二つ設けられた
請求項１１に記載の撮像装置。
【請求項１３】
前記二つの転がり防止部として第１の転がり防止部と前記第１の転がり防止部より外形
状が大きくされた第２の転がり防止部とが設けられ、
前記撮影釦が前記第２の転がり防止部より前記第１の転がり防止部に近い位置に設けられた
請求項１２に記載の撮像装置。
【請求項１４】
前記大径部に発光されることにより表示機能が発揮される発光表示部が配置された
請求項１乃至請求項１３の何れかに記載の撮像装置。
【請求項１５】
撮影レンズを有する交換レンズが着脱可能とされた
請求項１乃至請求項１４の何れかに記載の撮像装置。
【請求項１６】
撮影レンズを有する交換レンズが一体に設けられた
請求項１乃至請求項１４の何れかに記載の撮像装置。
【請求項１７】
撮影レンズを有する交換レンズと、
撮像素子と前記撮像素子が内部に配置された外筐とを備えた装置本体とを備え、
前記外筐には大径部と前記大径部より外径が小さい小径部とが設けられ、
前記大径部に被写体の撮影を行う撮影釦が配置された
撮像装置。
【請求項１８】
前記交換レンズが前記装置本体に着脱可能とされた
請求項１７に記載の撮像装置。
【請求項１９】
前記交換レンズと前記装置本体が一体に設けられた
請求項１７に記載の撮像装置。
【請求項２０】
前記交換レンズにズーム摘子が配置され、
前記ズーム摘子が上下方向に移動されて操作される
請求項１７乃至請求項１９の何れかに記載の撮像装置。
【手続補正書】
【提出日】平成29年6月21日(2017.6.21)
【手続補正１】
【補正対象書類名】特許請求の範囲
【補正対象項目名】全文
【補正方法】変更
【補正の内容】
【特許請求の範囲】
【請求項１】
アイテムを管理するシステムであって、
複数のアイテムを作成するプロジェクト毎に、アイテムの作成ステップに従って、検索キーに関連付けられたアイテムのアイテム画像、投稿日時が記録される記憶部と、
クライアント端末に接続された制御部とを備え、
前記制御部が、
前記クライアント端末から、アイテム画像の一覧表示を行なうプロジェクトに関する情報及び検索キーを取得し、
前記プロジェクトに属するアイテムの前記検索キーに関連付けられたアイテム画像を前記記憶部から取得し、前記アイテム画像の中で投稿日時が最新の画像を並べて一覧表示させる表示画面を生成し、
前記表示画面を前記クライアント端末に出力することを特徴とするアイテム管理システム。
【請求項２】
前記アイテム画像は、集合体を示すアイテムコード及び閲覧権限に関連付けられ、
前記制御部が、
前記クライアント端末から、前記アイテムコードに関する情報を取得し、
前記アイテムコードに関連付けられたアイテム画像を前記記憶部から取得し、
前記クライアント端末の閲覧権限が第１の権限であるときには、前記取得したアイテム画像とともにその作成者を表示する表示画面を生成し、前記クライアント端末の閲覧権限が第２の権限であるときには、作成者を表示せず前記取得したアイテム画像を表示する表示画面を生成することを特徴とする請求項１に記載のアイテム管理システム。
【請求項３】
前記アイテム画像は、複数のアイテムを作成するプロジェクト毎に、アイテムの作成ステップに関連付けられ、前記記憶部には前記作成ステップの進捗の度合いを示すステップ情報が記録され、
前記制御部が、
前記クライアント端末から、プロジェクトに関する情報を取得し、
前記プロジェクトに属するアイテム画像を親アイテムとして特定し、
前記親アイテムの作成ステップに関連付けられた子アイテムを特定し、
前記ステップ情報に基づき、前記子アイテムの進捗と、前記子アイテムの進捗を統合し
た前記親アイテムの進捗の度合いを示す画面を生成することを特徴とする請求項１又は２に記載のアイテム管理システム。
【請求項４】
各アイテムについて進化形態を特定し、前記進化形態が異なるアイテムを関連付けたことを特徴とする請求項１〜３のいずれか１項に記載のアイテム管理システム。
【請求項５】
アイテムを管理する方法であって、
アイテム管理システムは、複数のアイテムを作成するプロジェクト毎に、アイテムの作成ステップに従って、検索キーに関連付けられたアイテムのアイテム画像、投稿日時が記録される記憶部と、
クライアント端末に接続された制御部とを備え、
前記制御部が、
前記クライアント端末から、アイテム画像の一覧表示を行なうプロジェクトに関する情報及び検索キーを取得し、
前記プロジェクトに属するアイテムの前記検索キーに関連付けられたアイテム画像を前記記憶部から取得し、前記アイテム画像の中で投稿日時が最新の画像を並べて一覧表示させる表示画面を生成し、
前記表示画面を前記クライアント端末に出力することを特徴とするアイテム管理方法。
【請求項６】
アイテムを管理するプログラムであって、
アイテム管理システムは、複数のアイテムを作成するプロジェクト毎に、アイテムの作成ステップに従って、検索キーに関連付けられたアイテムのアイテム画像、投稿日時が記録される記憶部と、
クライアント端末に接続された制御部とを備え、
前記制御部を、
前記クライアント端末から、アイテム画像の一覧表示を行なうプロジェクトに関する情報及び検索キーを取得し、
前記プロジェクトに属するアイテムの前記検索キーに関連付けられたアイテム画像を前記記憶部から取得し、前記アイテム画像の中で投稿日時が最新の画像を並べて一覧表示させる表示画面を生成し、
前記表示画面を前記クライアント端末に出力する手段
として機能させることを特徴とするアイテム管理プログラム。
【手続補正２】
【補正対象書類名】明細書
【補正対象項目名】０００９
【補正方法】変更
【補正の内容】
【０００９】
（２）上記課題を解決するアイテム管理システムは、前記アイテム画像は、集合体を示すアイテムコード及び閲覧権限に関連付けられ、前記制御部が、前記クライアント端末から、前記アイテムコードに関する情報を取得し、前記アイテムコードに関連付けられたアイテム画像を前記記憶部から取得し、前記クライアント端末の閲覧権限が第１の権限であるときには、前記取得したアイテム画像とともにその作成者を表示する表示画面を生成し、前記クライアント端末の閲覧権限が第２の権限であるときには、作成者を表示せず前記取得したアイテム画像を表示する表示画面を生成する。
（３）上記課題を解決するアイテム管理システムは、前記アイテム画像は、複数のアイテムを作成するプロジェクト毎に、アイテムの作成ステップに関連付けられ、前記記憶部には前記作成ステップの進捗の度合いを示すステップ情報が記録され、前記制御部が、前記クライアント端末から、プロジェクトに関する情報を取得し、前記プロジェクトに属するアイテム画像を親アイテムとして特定し、前記親アイテムの作成ステップに関連付けら
れた子アイテムを特定し、前記ステップ情報に基づき、前記子アイテムの進捗と、前記子アイテムの進捗を統合した前記親アイテムの進捗の度合いを示す画面を生成する。
【手続補正３】
【補正対象書類名】明細書
【補正対象項目名】００１０
【補正方法】変更
【補正の内容】
【００１０】
（４）上記アイテム管理システムにおいて、各アイテムについて進化形態を特定し、前記進化形態が異なるアイテムを関連付けることが好ましい。これにより、進化形態を考慮して画像を一覧することができる。
【手続補正書】
【提出日】平成29年1月17日(2017.1.17)
【手続補正１】
【補正対象書類名】明細書
【補正対象項目名】００３４
【補正方法】変更
【補正の内容】
【００３４】
図９を参照すると、ロック部１４２は、信号接点部１２２よりも−Ｘ側に位置している。即ち、ロック部１４２は、信号接点部１２２よりもプラグ嵌合端１０２に近く、信号接点部１２２とプラグ嵌合端１０２との間に位置している。具体的には、Ｘ方向において、プラグ嵌合端１０２から信号接点部１２２までの距離は、プラグ嵌合端１０２からロック部１４２までの距離より第２所定距離Ｄ２だけ長い。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
二色性物質およびホウ酸を含む樹脂フィルムから構成され、該樹脂フィルム内に該二色性物質の含有量が相対的に低い二色性物質低濃度部を有する偏光子であって、
該二色性物質低濃度部のアルカリ金属および／またはアルカリ土類金属の含有量が３．６重量％以下である、偏光子。
【請求項２】
該二色性物質低濃度部が該樹脂フィルムに塩基性溶液を接触させることにより形成される、請求項１に記載の偏光子。
【請求項３】
前記塩基性溶液がアルカリ金属および／またはアルカリ土類金属の水酸化物を含む水溶液である、請求項２に記載の偏光子。
【請求項４】
前記二色性物質低濃度部の二色性物質含有量が１．０重量％以下である、請求項１から３のいずれかに記載の偏光子。
【請求項５】
前記二色性物質低濃度部の透過率が５０％以上である、請求項１から４のいずれかに記載の偏光子。
【請求項６】
厚みが３０μｍ以下である、請求項１から５のいずれかに記載の偏光子。
【請求項７】
前記二色性物質低濃度部が、搭載される画像表示装置のカメラ部に対応する、請求項１から６のいずれかに記載の偏光子。
【請求項８】
請求項１から７のいずれかに記載の偏光子を有する、偏光板。
【請求項９】
請求項８に記載の偏光板を備える、画像表示装置。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
二色性物質を含む樹脂フィルムに塩基性溶液を接触させることと、
前記接触部において、前記樹脂フィルムに含まれるアルカリ金属および／またはアルカリ土類金属を低減させること
を含む、偏光子の製造方法であって、
前記接触部を５０℃以上の水に浸漬させることにより、アルカリ金属および／またはアルカリ土類金属を低減させる、偏光子の製造方法。
【請求項２】
前記塩基性溶液がアルカリ金属および／またはアルカリ土類金属の水酸化物を含む、請求項１に記載の製造方法。
【請求項３】
前記樹脂フィルムがホウ酸を含む、請求項１または２に記載の製造方法。
【請求項４】
前記接触部におけるアルカリ金属および／またはアルカリ土類金属の含有量が３．６重量％以下となるように低減させる、請求項１から３のいずれかに記載の製造方法。
【請求項５】
前記樹脂フィルムが、その少なくとも一部が露出するように保護材で保護された状態で、前記塩基性溶液の接触と前記アルカリ金属および／またはアルカリ土類金属の低減を行う、請求項１から４のいずれかに記載の製造方法。
【手続補正書】
【提出日】平成29年2月1日(2017.2.1)
【手続補正１】
【補正対象書類名】特許請求の範囲
【補正対象項目名】全文
【補正方法】変更
【補正の内容】
【特許請求の範囲】
【請求項１】
二色性物質およびホウ酸を含む樹脂フィルムから構成され、該樹脂フィルム内に該二色性物質の含有量が相対的に低い二色性物質低濃度部を有する偏光子の製造方法であって、
該二色性物質を含む樹脂フィルムの所望の部分に塩基性溶液を接触させて、該二色性物質低濃度部を形成する工程と、
該二色性物質低濃度部に、塩酸、硫酸、または、硝酸を含む酸性溶液を接触させる工程とを含む、
偏光子の製造方法。
【請求項２】
前記樹脂フィルムがヨウ素を含有するポリビニルアルコール系樹脂フィルムである、請求項１に記載の偏光子の製造方法。
【請求項３】
前記二色性物質低濃度部の二色性物質含有量が１．０重量％以下である、請求項１または２に記載の偏光子の製造方法。
【請求項４】
前記二色性物質低濃度部の透過率が５０％以上である、請求項１から３のいずれかに記載の偏光子の製造方法。
【請求項５】
前記偏光子の厚みが３０μｍ以下である、請求項１から４のいずれかに記載の偏光子の製造方法。
【請求項６】
前記二色性物質低濃度部が搭載される画像表示装置のカメラ部に対応する、請求項１から５のいずれかに記載の偏光子の製造方法。
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
ネットワークを介して所定のサービスをユーザの端末へ提供するサーバ装置であって、
前記サービスに対するユーザの端末からの登録要求にしたがって、そのユーザを登録するユーザ登録部と、
画像、音声及び動画の少なくとも１つを含む再登録用のコンテンツ情報を生成する再登録用コンテンツ生成部と、
前記再登録用コンテンツ生成部によって生成されたコンテンツ情報を記憶するサーバメモリと、
前記再登録用コンテンツ生成部によって生成されたコンテンツ情報を登録要求にかかるユーザの端末の端末メモリに記憶させるために送信する通信部と、
前記端末メモリに記憶され、前記ユーザの任意の端末から送信されたコンテンツ情報と、前記サーバメモリに記憶されたコンテンツ情報とを照合して、再登録すべきか否かを判定する再登録判定部と、
を備え、
前記ユーザ登録部は、前記再登録判定部において再登録すべき旨を判定した場合、前記送信されたコンテンツ情報にかかるユーザを登録する
ことを特徴とするサーバ装置。
【請求項２】
前記再登録判定部は、双方のコンテンツ情報のバイナリ値あるいはハッシュ値を比較することによって、判定する
ことを特徴とする請求項１に記載のサーバ装置。
【請求項３】
前記再登録用コンテンツ生成部は、登録要求にかかるユーザのＩＤ情報が含まれるように、コンテンツ情報を生成する
ことを特徴とする請求項１または２に記載のサーバ装置。
【請求項４】
前記再登録用コンテンツ生成部は、ＩＤ情報を生成された画像に重畳することによって、画像コンテンツ情報を生成する
ことを特徴とする請求項３に記載のサーバ装置。
【請求項５】
ネットワークを介して所定のサービスをユーザの端末へ提供するサーバ装置に用いられるプログラムであって、
前記サービスに対するユーザの端末からの登録要求にしたがって、そのユーザを登録するユーザ登録ステップと、
画像、音声及び動画の少なくとも１つを含む再登録用のコンテンツ情報を生成する再登録用コンテンツ生成ステップと、
生成されたコンテンツ情報をサーバメモリに記憶するステップと、
生成されたコンテンツ情報を登録要求にかかるユーザの端末の端末メモリに記憶させるために送信する送信ステップと、
前記端末メモリに記憶され、前記ユーザの任意の端末から送信されたコンテンツ情報と、前記サーバメモリに記憶されたコンテンツ情報とを照合して、再登録すべきか否かを判定する再登録判定ステップと、
をコンピュータに実行させるためのプログラムであって、
前記ユーザ登録ステップは、再登録判定ステップにおいて再登録すべき旨を判定した場合、前記送信されたコンテンツ情報にかかるユーザを登録する
ことを特徴とするプログラム。
【請求項６】
所定のサービスを提供するサーバ装置と、前記サーバ装置とネットワークを介して接続されるユーザの端末とを備えるシステムであって、
前記サービスに対するユーザの端末からの登録要求にしたがって、そのユーザを登録するユーザ登録手段と、
画像、音声及び動画の少なくとも１つを含む再登録用のコンテンツ情報を生成する再登録用コンテンツ生成手段と、
前記再登録用コンテンツ生成部によって生成されたコンテンツ情報を記憶するサーバメモリと、
前記再登録用コンテンツ生成部によって生成されたコンテンツ情報を登録要求にかかるユーザの端末の端末メモリに記憶させるために送信する通信手段と、
前記端末メモリに記憶され、前記ユーザの任意の端末から送信されたコンテンツ情報と、前記サーバメモリに記憶されたコンテンツ情報とを照合して、再登録すべきか否かを判定する再登録判定手段と、
を備え、
前記ユーザ登録手段は、前記再登録判定部において再登録すべき旨を判定した場合、前記送信されたコンテンツ情報にかかるユーザを登録する
ことを特徴とするシステム。
【手続補正２】
【補正対象書類名】明細書
【補正対象項目名】０００７
【補正方法】変更
【補正の内容】
【０００７】
本発明のある態様は、サーバ装置である。このサーバ装置は、ネットワークを介して所定のサービスをユーザの端末へ提供するサーバ装置であって、前記サービスに対するユーザの端末からの登録要求にしたがって、そのユーザを登録するユーザ登録部と、画像、音声及び動画の少なくとも１つを含む再登録用のコンテンツ情報を生成する再登録用コンテンツ生成部と、前記再登録用コンテンツ生成部によって生成されたコンテンツ情報を記憶するサーバメモリと、前記再登録用コンテンツ生成部によって生成されたコンテンツ情報を登録要求にかかるユーザの端末の端末メモリに記憶させるために送信する通信部と、前記端末メモリに記憶され、前記ユーザの任意の端末から送信されたコンテンツ情報と、前記サーバメモリに記憶されたコンテンツ情報とを照合して、再登録すべきか否かを判定する再登録判定部と、を備える。ここで、ユーザ登録部は、再登録判定部において再登録すべき旨を判定した場合、前記送信されたコンテンツ情報にかかるユーザを登録する。